(57)【要約】  本発明は、組成物（ｄ）であって、（その重量１００％当たり）：ａ）０．００２ｍｏｌ／Ｌ〜０．１ｍｏｌ／Ｌの、アンモニウムカチオンまたは一価もしくは多価金属カチオン（Ｓ）と、有機または無機アニオンとの少なくとも１つの塩（Ｓ）を、溶解された形態で含む９０重量％〜９９．０重量％の水と、ｂ）０．５重量％〜５重量％の少なくとも１つの架橋アニオン性高分子電解質（ＰＡ）と、ｃ）０．５重量％〜５重量％の、式（ＩＩ）：Ｒ１−（Ｏ−ＣＨ２−ＣＨ２）Ｐ−ＯＨ（ＩＩ）を有する少なくとも１つの化合物とを含み、式（ＩＩ）の化合物に対する架橋アニオン性高分子電解質（ＰＡ）の重量比（Ｒａ）は、０．２以上かつ２．０以下であることが理解され、および塩（Ｓ）に対する式（ＩＩ）の化合物のモル比（Ｒｂ）は、０．０５以上かつ１以下であることが理解される、組成物（ｄ）に関する。本発明は、化粧品における前記組成物の使用および高粘度の塩に富んだ組成物を明色化するための方法にも関する。【特許請求の範囲】
【請求項１】
組成物（Ｃ１）であって、その質量１００％当たり：
ａ）−  ０．０２ｍｏｌ〜１ｍｏｌ／リットルの、アンモニウムカチオンまたは一価もしくは多価金属カチオン（Ｓ）と、有機または無機アニオンとの少なくとも１つの塩（Ｓ）を、溶解された形態で含む９０質量％〜９９質量％の水と、
ｂ）−  部分的にまたは完全に塩化された２−メチル−２−［（１−オキソ−２−プロペニル）アミノ］−１−プロパンスルホン酸と、Ｎ，Ｎ−ジアルキルアクリルアミドであって、アルキル基のそれぞれは、１〜４個の炭素原子を含む、Ｎ，Ｎ−ジアルキルアクリルアミドから選択される少なくとも１つの中性モノマーと、式（Ｉ）：
【化１】
2019524942.tif 000017
（式中、Ｒは、８〜２０個の炭素原子を含む直鎖状または分枝鎖状アルキル基を表し、およびｎは、１以上かつ２０以下の数を表す）の少なくとも１つのモノマーとの、少なくとも１つの架橋剤の存在下における重合から誘導される０．５質量％〜５質量％の少なくとも１つの架橋アニオン性高分子電解質（ＰＡ）と、
ｃ）−  ０．５質量％〜５質量％の、式（ＩＩ）：
Ｒ１−（Ｏ−ＣＨ２−ＣＨ２）ｐ−ＯＨ  （ＩＩ）
（式中、Ｒ１は、１２〜２２個の炭素原子を含む、１つまたは複数のヒドロキシル基で任意選択的に置換される飽和または不飽和、直鎖状または分枝鎖状炭化水素系脂肪族基を表し、およびｐは、１０以上かつ１００以下の整数を表す）の少なくとも１つの化合物と
を含み、前記組成物（Ｃ１）中、前記架橋アニオン性高分子電解質（ＰＡ）と前記式（ＩＩ）の化合物との間の質量比（Ｒａ）は、０．２以上かつ２．０以下であることと、前記式（ＩＩ）の化合物と前記塩（Ｓ）との間のモル比（Ｒｂ）は、０．０２以上かつ１以下であることとが理解される、組成物（Ｃ１）。
【請求項２】
前記架橋アニオン性高分子電解質（ＰＡ）は、その構成モノマー１００ｍｏｌ％当たり：
−  ２０ｍｏｌ％〜８０ｍｏｌ％の、部分的にまたは完全に塩化された２−メチル−２−［（１−オキソ−２−プロペニル）アミノ］−１−プロパンスルホン酸に由来するモノマー単位、
−  １５ｍｏｌ％〜７５ｍｏｌ％の、Ｎ，Ｎ−ジアルキルアクリルアミドであって、アルキル基のそれぞれは、１〜４個の炭素原子を含む、Ｎ，Ｎ−ジアルキルアクリルアミドから選択される中性モノマーに由来するモノマー単位、
−  ０．５ｍｏｌ％〜５ｍｏｌ％の、上で定義される式（Ｉ）のモノマーに由来するモノマー単位
を含むことを特徴とする、請求項１に記載の組成物（Ｃ１）。
【請求項３】
前記中性モノマーは、Ｎ，Ｎ−ジメチルアクリルアミドであることを特徴とする、請求項２に記載の組成物（Ｃ１）。
【請求項４】
前記式（Ｉ）のモノマーは、テトラエトキシ化ラウリルメタクリレートであることを特徴とする、請求項１〜３のいずれか一項に記載の組成物（Ｃ１）。
【請求項５】
式（ＩＩ）中、前記基Ｒ１は、直鎖状ドデシル、トリデシル、テトラデシル、ペンタデシルおよびヘキサデシル基から選択される基を表し、およびｐは、１５以上かつ４０以下の整数を表すことを特徴とする、請求項１〜４のいずれか一項に記載の組成物（Ｃ１）。
【請求項６】
前記架橋アニオン性高分子電解質（ＰＡ）は、トリメチロールプロパントリアクリレートで架橋されている、アンモニウム塩形態で部分的に塩化された２−メチル−２−［（１−オキソ−２−プロペニル）アミノ］−１−プロパンスルホン酸と、Ｎ，Ｎ−ジメチルアクリルアミドと、テトラエトキシ化ラウリルメタクリレートとのターポリマーであることを特徴とする、請求項１〜５のいずれか一項に記載の組成物（Ｃ１）。
【請求項７】
前記架橋アニオン性高分子電解質（ＰＡ）は、１００ｍｏｌ％当たり：
−  ６０ｍｏｌ％〜８０ｍｏｌ％の、アンモニウム形態で部分的に塩化された２−メチル−２−［（１−オキソ−２−プロペニル）アミノ］−１−プロパンスルホン酸に由来するモノマー単位と、
−  １５ｍｏｌ％〜３９．５ｍｏｌ％の、Ｎ，Ｎ−ジメチルアクリルアミドに由来するモノマー単位と、
−  ０．５ｍｏｌ％〜５ｍｏｌ％の、テトラエトキシ化ラウリルメタクリレートに由来するモノマー単位と
を含むことを特徴とする、請求項１〜６のいずれか一項に記載の組成物（Ｃ１）。
【請求項８】
前記塩（Ｓ）は、アンモニウムまたは金属カチオンのハロゲン化物、炭酸塩、重炭酸塩、リン酸塩、硝酸塩、ホウ酸塩および硫酸塩から選択されることを特徴とする、請求項１〜７のいずれか一項に記載の組成物（Ｃ１）。
【請求項９】
前記塩（Ｓ）は、アンモニウムカチオンまたは一価もしくは多価金属カチオン（Ｓ）と、少なくとも１つのカルボキシレート、スルホネートまたはサルフェート官能基を有する有機アニオンとの塩（Ｓ）であることを特徴とする、請求項１〜８のいずれか一項に記載の組成物（Ｃ１）。
【請求項１０】
前記塩（Ｓ）は、塩化ナトリウム、塩化カルシウム、塩化マグネシウム、硫酸カルシウム、硫酸アンモニウム、炭酸カルシウム、硫酸亜鉛、硫酸マグネシウム、ホウ酸ナトリウム、グリコール酸ナトリウム、クエン酸ナトリウム、サリチル酸ナトリウム、乳酸ナトリウム、グルコン酸ナトリウム、グルコン酸亜鉛、グルコン酸マンガン、グルコン酸銅およびアスパラギン酸マグネシウムから選択されることを特徴とする、請求項１〜９のいずれか一項に記載の組成物（Ｃ１）。
【請求項１１】
発泡性および／または洗浄用界面活性剤、増粘性および／またはゲル化界面活性剤、増粘剤および／またはゲル化剤、安定剤、塗膜形成性化合物、溶媒および共溶媒、ヒドロトロープ剤、可塑剤、乳白剤、真珠光沢剤、金属イオン封鎖剤、キレート剤、酸化防止剤、香料、精油、保存料、調整剤、消臭剤、体毛および皮膚を脱色することを目的とした漂白剤、皮膚または毛髪に対する処置および／または保護作用を与えることを目的とした活性成分、日焼け止め剤、無機充填剤または顔料、視覚効果を与えるかまたは活性剤を封入することを目的とした粒子、角質除去粒子、テクスチャ剤、光学的光沢剤ならびに昆虫忌避剤から選択される１つまたは複数の補助化合物も含むことを特徴とする、請求項１〜１０のいずれか一項に記載の組成物（Ｃ１）。
【請求項１２】
皮膚を洗浄し、かつ／もしくは保護し、かつ／もしくはケアするため、および／または皮膚、毛髪もしくは粘膜の美的外観を改善しかつ／もしくは保つための局所用化粧用組成物としての、請求項１〜１１のいずれか一項に記載の組成物（Ｃ１）の使用。
【請求項１３】
０．０２ｍｏｌ〜１ｍｏｌ／リットルの、アンモニウムカチオンまたは一価もしくは多価金属カチオン（Ｓ）と、有機または無機アニオンとの少なくとも１つの塩（Ｓ）を、溶解された形態で含む少なくとも９０質量％の水、ならびに部分的にまたは完全に塩化された２−メチル−２−［（１−オキソ−２−プロペニル）アミノ］−１−プロパンスルホン酸と、Ｎ，Ｎ−ジアルキルアクリルアミドであって、アルキル基のそれぞれは、１〜４個の炭素原子を含む、Ｎ，Ｎ−ジアルキルアクリルアミドから選択される少なくとも１つの中性モノマーと、式（Ｉ）：
【化２】
2019524942.tif 000018
（式中、Ｒは、８〜２０個の炭素原子を含む直鎖状または分枝鎖状アルキル基を表し、およびｎは、１以上かつ２０以下の数を表す）の少なくとも１つのモノマーとの、少なくとも１つの架橋剤の存在下における重合から誘導される少なくとも１つの架橋アニオン性高分子電解質（ＰＡ）を含む組成物を明色化するための方法であって、有効量の、式（ＩＩ）：
Ｒ１−（Ｏ−ＣＨ２−ＣＨ２）ｐ−ＯＨ  （ＩＩ）
（式中、Ｒ１は、１２〜２２個の炭素原子を含む、１つまたは複数のヒドロキシル基で任意選択的に置換される飽和または不飽和、直鎖状または分枝鎖状炭化水素系脂肪族基を表し、およびｐは、１０以上かつ１００以下の整数を表す）の少なくとも１つの化合物を前記組成物に加える工程であって、それにより、前記組成物は、この工程の最後に、その質量１００％当たり、
ａ）−  ０．０２ｍｏｌ〜１ｍｏｌ／リットルの、アンモニウムカチオンまたは一価もしくは多価金属カチオン（Ｓ）と、有機または無機アニオンとの少なくとも１つの塩（Ｓ）を、溶解された形態で含む９０質量％〜９９質量％の水、
ｂ）−  ０．５質量％〜５質量％の前記式（Ｉ）の化合物、
ｃ）−  ０．５質量％〜５質量％の前記式（ＩＩ）の化合物
を含む、工程を含み、前記架橋アニオン性高分子電解質（ＰＡ）と前記式（ＩＩ）の化合物との間の質量比（Ｒａ）は、０．２以上かつ２．０以下であり、および前記式（ＩＩ）の化合物と前記塩（Ｓ）との間のモル比（Ｒｂ）は、０．０２以上かつ１以下であることが理解される、方法。
【発明の詳細な説明】
【技術分野】
【０００１】
本発明は、新規な高粘度の塩に富んだヒドロゲル、局所的化粧用組成物としてのその使用、および高粘度の塩に富んだヒドロゲルを明色化するための新規な方法に関する。
【背景技術】
【０００２】
セラムは、最近、皮膚の化粧処置に広く使用されている。「セラム」という用語は、表皮の上層によって急速に吸収されることが意図され、かつ高濃度の活性成分を含有する水溶液を示す。セラムは、一般に、様々なスキンケア製剤を補完するものとして、その効果を高めるために使用される。皮膚が予め洗浄され、次にセラム、続いて所望の化粧用ケア製剤が適用される。このプロセスは、気候もしくは環境条件などの外部要因のため、または皮膚の乾燥などの皮膚の状態の急激な変化の際、ケア製剤の効果が低下されることを使用者が観察したときに特に適切である。セラムは、保湿、明色化、浄化、アンチエイジング、抗しわ、賦活、シャドー−コンシーリングおよび／または抗皮脂特性などの様々な特性を有する物質を含む。
【０００３】
セラムが表皮の上層によって容易かつ急速に吸収されるために、セラムは、処置される皮膚の表面にわたって迅速に塗り広げることを可能にするのに十分に流体であり、適用時に流れないようにするのに十分にゲルである、流動特性間の均衡を有し、べたつかないテクスチャを有さなければならない。さらに、セラムは、半透明であることが好ましく、なぜなら、この側面は、純度について考える消費者に関連するためである。
【０００４】
合成ポリマーおよび天然由来のポリマーは、化粧品および医薬品分野における局所使用のための水性ゲルを調製するのを可能にする、当業者に周知の化粧品水相増粘剤である。
【０００５】
この分野において現在使用されている合成増粘ポリマーは、粉末形態であるか、または逆相ラテックスとして一般的に知られている、界面活性剤を用いて逆相エマルションラジカル重合によって調製されるポリマーの油中水型エマルションとしての液体形態である。
【０００６】
最も知られている粉末形態の合成増粘ポリマーの中でも、Ｃａｒｂｏｐｏｌ（商標）またはＰｅｍｕｌｅｎ（商標）の名称で販売されているものなど、アクリル酸および／またはそのエステルをベースとするポリマーが挙げられ得る。それらは、特に米国特許第５，３７３，０４４号明細書および米国特許第２，７９８，０５３号明細書ならびにさらに欧州特許出願公開第０３０１５３２Ａ２号明細書に記載されている。Ａｒｉｓｔｏｆｌｅｘ（商標）の名称で販売されているものなど、２−アクリルアミド−２−メチルプロパンスルホン酸および／またはその塩をベースとするポリマーもある。それらは、特に欧州特許第０８１６４０３号明細書、欧州特許第１１１６７３３号明細書および欧州特許第１０６９１４２号明細書に記載されている。これらの粉末は、一般に、ベンゼン、酢酸エチル、シクロヘキサンまたはｔｅｒｔ−ブタノールなどの有機溶媒中の溶液中でのモノマーの沈殿重合によって得られ、ここで、このプロセスは、一切の残留溶媒を除去するために、最終生成物の精製のための多くの連続工程を必要とする。
【０００７】
最も知られている逆相ラテックスの中でも、Ｓｅｐｉｇｅｌ（商標）、Ｓｉｍｕｌｇｅｌ（商標）およびＳｅｐｉｐｌｕｓ（商標）の名称で販売されているものが挙げられ得る。これらの増粘剤は、逆相エマルションラジカル重合によって得られる。それらは、特に室温での取り扱いがより容易であり、水に非常に急速に分散する。さらに、それらは、著しく高い増粘性能品質を生じる。しかしながら、それらは油を含有するため、これにより、それらは、半透明または透明の水性ゲルを調製するのにあまり適切でなくなる可能性がある。
【０００８】
逆相ラテックスのものと均等であるかまたはそれより優れた増粘性能品質を有するが、特に油相が存在しない（それにより、より明るい色の水性ゲルをもたらし得る）ため、使用のより広い可能性を有する合成増粘剤も存在する。それらは、粉末の形態であるが、液体の形態の製品と同等の溶解時間およびしたがって実施し易さを有する。それらは、欧州特許出願公開第１４９６０８１Ａ２号明細書の番号で公開された欧州特許出願に記載されている。それらは、分散相ラジカル重合、逆懸濁ラジカル重合、組み合わされた逆相エマルションまたは逆相マイクロエマルションラジカル重合などの標準的な重合技術、続いて仲介溶媒中での沈殿、仲介溶媒中での沈殿およびその後の任意の洗浄、噴霧化または共沸脱水による乾燥、任意選択的に続いて厳選された溶媒での洗浄などの様々な技術による分離によって得られる。したがって、これらの合成増粘剤は、標準的な粉末の形態の合成増粘剤の利点（油の非存在、より明るい色の水性ゲルの生成）および逆相ラテックスの形態の合成増粘剤の利点（予めの中和、高い溶解速度、注目に値する増粘力および安定化特性）のいくつかを兼ね備えている。しかしながら、上述されるセラムの調製に向けた使用では、このような合成増粘系を使用する消費者は、現在得られるものよりさらにより明るい色または透明のゲルを製造できることを望んでいる。さらに、これらの合成増粘剤で得られるゲルは、例えば、電解質に富んだ植物抽出物または無機塩を含むセラムの場合によくあるように、組成物が電解質に富んでいる場合に十分な安定性を有さない。
【０００９】
遊離の部分的に塩化されたまたは完全に塩化された強酸官能基を有する少なくとも１つのモノマーと、式（Ｂ）：
【００１０】
【化１】
2019524942.tif 000002
【００１１】
（式中、Ｒは、８〜２０個の炭素原子を含む直鎖状または分枝鎖状アルキル基を表し、およびｎは、１以上かつ３０以下の数を表す）の少なくとも１つのモノマーとの直鎖状、分枝鎖状または架橋ターポリマーが、国際公開第２０１１／０３００４４号パンフレットの番号で公開された国際特許出願に記載されている。
【００１２】
しかしながら、水性ゲルが０．２質量％超の量の電解質の存在下でこのような合成増粘ポリマーを実施することによって調製される場合、セラムの調製に関連し、かつ消費者によって必要とされる透明性要件を満たさない側面が常に観察される。
【発明の概要】
【発明が解決しようとする課題】
【００１３】
したがって、本発明者らは、貯蔵時に安定しており、電解質に富んだ媒体の存在下においておよび広いｐＨ範囲にわたって高い粘度を保ち、十分な官能特性も保ち、すなわちそれらが取り込まれたときおよび皮膚への適用後、粘着性または流れやすい性質を有さず、透明の外観を有する新規な水性ゲルを開発しようとしてきた。
【課題を解決するための手段】
【００１４】
第１の態様によれば、本発明の主題は、組成物（Ｃ１）であって、その質量１００％当たり：
ａ）−  ０．０２ｍｏｌ〜１ｍｏｌ／リットル、より具体的には０．０２ｍｏｌ〜０．５ｍｏｌ／リットルの、アンモニウムカチオンまたは一価もしくは多価金属カチオン（Ｓ）と、有機または無機アニオンとの少なくとも１つの塩（Ｓ）を、溶解された形態で含む９０質量％〜９９．０質量％の水と、
ｂ）−  部分的にまたは完全に塩化された２−メチル−２−［（１−オキソ−２−プロペニル）アミノ］−１−プロパンスルホン酸と、Ｎ，Ｎ−ジアルキルアクリルアミドであって、アルキル基のそれぞれは、１〜４個の炭素原子を含む、Ｎ，Ｎ−ジアルキルアクリルアミドから選択される少なくとも１つの中性モノマーと、式（Ｉ）：
【００１５】
【化２】
2019524942.tif 000003
【００１６】
（式中、Ｒは、８〜２０個の炭素原子を含む直鎖状または分枝鎖状アルキル基を表し、およびｎは、１以上かつ２０以下の数を表す）の少なくとも１つのモノマーとの、少なくとも１つの架橋剤の存在下における重合から誘導される０．５質量％〜５質量％の少なくとも１つの架橋アニオン性高分子電解質（ＰＡ）と、
ｃ）−  ０．５質量％〜５質量％の、式（ＩＩ）：
Ｒ１−（Ｏ−ＣＨ２−ＣＨ２）ｐ−ＯＨ  （ＩＩ）
（式中、Ｒ１は、１２〜２２個の炭素原子を含む、１つまたは複数のヒドロキシル基で任意選択的に置換される飽和または不飽和、直鎖状または分枝鎖状炭化水素系脂肪族基を表し、およびｐは、１０以上かつ１００以下の整数を表す）の少なくとも１つの化合物と
を含み、前記組成物（Ｃ１）中、前記架橋アニオン性高分子電解質（ＰＡ）と前記式（ＩＩ）の化合物との間の質量比（Ｒａ）は、０．２以上かつ２．０以下、より具体的には１．５以下であり、および式（ＩＩ）の化合物と塩（Ｓ）との間のモル比（Ｒｂ）は、０．０２以上かつ１以下、より具体的には０．０４以上かつ０．７以下であることが理解される、組成物（Ｃ１）である。
【発明を実施するための形態】
【００１７】
本発明の主題である組成物（Ｃ１）の定義において、「架橋アニオン性高分子電解質（ＰＡ）」という用語は、水不溶性であるが、水膨潤性であり、化学ゲルの生成をもたらす三次元網目構造の形態の非直鎖状架橋アニオン性高分子電解質を示す。
【００１８】
上に定義される組成物（Ｃ１）中に存在する架橋アニオン性高分子電解質（ＰＡ）の定義において、「部分的に塩化されたまたは完全に塩化された」という用語は、前記２−メチル−２−［（１−オキソ−２−プロペニル）アミノ］−１−プロパンスルホン酸が特にアルカリ金属塩の形態、例えばナトリウム塩もしくはカリウム塩の形態またはアンモニウム塩の形態で部分的にまたは完全に塩化されることを意味する。
【００１９】
本発明の主題である組成物（Ｃ１）の定義において、「Ｎ，Ｎ−ジアルキルアクリルアミドであって、アルキル基のそれぞれは、１〜４個の炭素原子を含む、Ｎ，Ｎ−ジアルキルアクリルアミドから選択される中性モノマー」という用語は、より具体的には、Ｎ，Ｎ−ジメチルアクリルアミド、Ｎ，Ｎ−ジエチルアクリルアミド、Ｎ，Ｎ−ジプロピルアクリルアミドまたはＮ，Ｎ−ジイソプロピルアクリルアミドを示す。
【００２０】
本発明の具体的な態様によれば、上に定義される組成物（Ｃ１）中、前記架橋アニオン性高分子電解質（ＰＡ）は、その構成モノマー１００ｍｏｌ％当たり、５ｍｏｌ％〜９５ｍｏｌ％、より具体的には１０ｍｏｌ％〜９０ｍｏｌ％、最も具体的には２０ｍｏｌ％〜８０ｍｏｌ％の、部分的にまたは完全に塩化された２−メチル−２−［（１−オキソ−２−プロペニル）アミノ］−１−プロパンスルホン酸に由来するモノマー単位を含む。
【００２１】
本発明の別の具体的な態様によれば、上に定義される組成物（Ｃ１）中、前記架橋アニオン性高分子電解質（ＰＡ）は、その構成モノマー１００ｍｏｌ％当たり、４．９ｍｏｌ％〜９０ｍｏｌ％、より具体的には９．５ｍｏｌ％〜８５ｍｏｌ％、最も具体的には１５ｍｏｌ％〜７５ｍｏｌ％の、Ｎ，Ｎ−ジアルキルアクリルアミドであって、アルキル基のそれぞれは、１〜４個の炭素原子を含む、Ｎ，Ｎ−ジアルキルアクリルアミドから選択される少なくとも１つの中性モノマーに由来するモノマー単位を含む。
【００２２】
本発明の別の具体的な態様によれば、本発明の主題である組成物（Ｃ１）中、前記架橋アニオン性高分子電解質（ＰＡ）は、その構成モノマー１００ｍｏｌ％当たり、０．１ｍｏｌ％〜１０ｍｏｌ％、より具体的には０．５ｍｏｌ％〜５ｍｏｌ％の、上に定義される式（Ｉ）のモノマーに由来するモノマー単位を含む。
【００２３】
本発明の主題は、より具体的には、上に定義される組成物（Ｃ１）であって、前記架橋アニオン性高分子電解質（ＰＡ）は、その構成モノマー１００ｍｏｌ％当たり：
−  ２０ｍｏｌ％〜８０ｍｏｌ％の、部分的にまたは完全に塩化された２−メチル−２−［（１−オキソ−２−プロペニル）アミノ］−１−プロパンスルホン酸に由来するモノマー単位、
−  １５ｍｏｌ％〜７５ｍｏｌ％の、Ｎ，Ｎ−ジアルキルアクリルアミドであって、アルキル基のそれぞれは、１〜４個の炭素原子を含む、Ｎ，Ｎ−ジアルキルアクリルアミドから選択される中性モノマーに由来するモノマー単位、
−  ０．５ｍｏｌ％〜５ｍｏｌ％の、上に定義される式（Ｉ）のモノマーに由来するモノマー単位
を含むことを特徴とする組成物（Ｃ１）である。
【００２４】
さらにより具体的な態様によれば、上に定義される組成物（Ｃ１）は、前記中性モノマーがＮ，Ｎ−ジメチルアクリルアミドであることを特徴とする。
【００２５】
上に定義される式（Ｉ）中、「８〜２０個の炭素原子を含む直鎖状または分枝鎖状アルキル基」という用語は、より具体的には、Ｒについて、
−  例えば、オクチル、デシル、ウンデシル、ドデシル、トリデシル、テトラデシル、ペンタデシル、ヘキサデシル、ヘプタデシル、オクタデシル、ノナデシルおよびエイコシル基から選択される直鎖状第一級アルコールに由来する基、または
−  例えば、２−エチルヘキシル、２−プロピルヘプチル、２−ブチルオクチル、２−ペンチルノニル、２−ヘキシルデシルおよび２−オクチルドデシル基から選択される、一般式：
ＣＨ３−（ＣＨ２）ｐ−ＣＨ［ＣＨ３−（ＣＨ２）ｐ−２］−ＣＨ２ＯＨ
（式中、ｐは、３以上９以下の間の整数を表す）に対応する分枝鎖状１−アルカノールであるゲルベアルコールに由来する基、または
−  例えば、６−メチルヘプチル、１５−メチルペンタデシルおよび１６−メチルヘプタデシル基から選択される、一般式：
ＣＨ３−ＣＨ（ＣＨ３）−（ＣＨ２）ｍ−ＣＨ２ＯＨ
（式中、ｍは、４以上かつ１６以下の整数を表す）に対応するイソアルカノールに由来する基、または
−  例えば、２−ヘキシルオクチル、２−オクチルデシルおよび２−ヘキシルドデシル基から選択される、分枝鎖状第一級アルコールに由来する基
のいずれかを示す。
【００２６】
具体的な態様によれば、本発明の主題は、式（Ｉ）の定義において、Ｒが、１２〜１８個の炭素原子を含むアルキル基、より具体的にはドデシル、トリデシル、テトラデシル、ヘキシルデシル、ヘプタデシルおよびオクタデシル基から選択される基を表すことを特徴とする、上に定義される組成物（Ｃ１）である。
【００２７】
別の具体的な態様によれば、本発明の主題は、式（Ｉ）の定義において、ｎが３以上かつ２０以下の整数を表すことを特徴とする、上に定義される組成物（Ｃ１）である。
【００２８】
さらにより具体的な態様によれば、上に定義される組成物（Ｃ１）は、式（Ｉ）の前記モノマーがテトラエトキシ化ラウリルメタクリレートであることを特徴とする。
【００２９】
さらにより具体的な態様によれば、上に定義される組成物（Ｃ１）は、式（Ｉ）の前記モノマーがエイコサエトキシ化ステアリルメタクリレートであることを特徴とする。
【００３０】
別の具体的な態様によれば、本発明の主題は、上に定義される前記架橋アニオン性高分子電解質（ＰＡ）が誘導される重合に使用される架橋剤が、０．００５ｍｏｌ％以上かつ１ｍｏｌ％以下、より具体的には０．０１ｍｏｌ％以上かつ０．５ｍｏｌ％以下、最も具体的には０．０１ｍｏｌ％以上かつ０．２５ｍｏｌ％以下の、使用されるモノマーに対して表されるモル比で使用されるジエチレン性またはポリエチレン性化合物であることを特徴とする、上に定義される組成物（Ｃ１）である。架橋剤は、より具体的には、エチレングリコールジメタクリレート、テトラアリルオキシエタン、エチレングリコールジアクリレート、ジアリル尿素、トリアリルアミン、トリメチロールプロパントリアクリレートおよびメチレンビス（アクリルアミド）またはこれらの化合物の混合物から選択され、最も具体的にはトリアリルアミン、トリメチロールプロパントリアクリレートおよびメチレンビス（アクリルアミド）から選択される。
【００３１】
本発明の主題である組成物（Ｃ１）に使用される架橋アニオン性高分子電解質（ＰＡ）をもたらす重合反応において、錯化剤、連鎖移動剤（ｔｒａｎｓｆｅｒ  ａｇｅｎｔ）または連鎖制限剤などの様々な添加剤も使用され得る。連鎖移動剤または連鎖制限剤は、より具体的には、次亜リン酸ナトリウム、低分子量のアルコール、例えばメタノール、エタノール、１−プロパノール、イソプロパノールまたはブタノール、チオール、例えば２−メルカプトエタノール、サルフェート官能基を含む連鎖移動剤、例えばメタリルスルホン酸ナトリウム、または前記連鎖移動剤の混合物からなる群から選択される。連鎖移動剤または連鎖制限剤は、より具体的には、０．００１ｍｏｌ％以上かつ１ｍｏｌ％以下、より具体的には０．００１ｍｏｌ％以上かつ０．５ｍｏｌ％以下、最も具体的には０．００１ｍｏｌ％以上かつ０．１ｍｏｌ％以下の、使用されるモノマーのモルの総数に対して表されるモル比で使用される。
【００３２】
上に定義される式（ＩＩ）中、「１２〜２２個の炭素原子を含む、１つまたは複数のヒドロキシル基で任意選択的に置換される飽和または不飽和、直鎖状または分枝鎖状脂肪族炭化水素系基」という用語は、より具体的には、Ｒ１について、
−  例えば、ドデシル、トリデシル、テトラデシル、ペンタデシル、ヘキサデシル、ヘプタデシル、オクタデシル、ノナデシル、エイコシルおよびドコシル基から選択される飽和直鎖状アルキル基、または
−  例えば、ドデセニル、トリデセニル、テトラデセニル、ペンタデセニル、ヘキサデセニル、ヘプタデセニル、オクタデセニル、ノナデセニル、エイコセニル、ドコセニル、４−ドデセニルおよび５−ドデセニル基から選択される不飽和直鎖状基、または
−  例えば、ヒドロキシドデシル、ヒドロキシテトラデシル、ヒドロキシヘキサデシル、ヒドロキシオクタデシル、例えば１２−ヒドロキシオクタデシル基、ヒドロキシエイコシルおよびヒドロキシドコシル基から選択される、１つまたは２つのヒドロキシル基で置換される、１２〜２２個の炭素原子を含む飽和または不飽和、直鎖状または分枝鎖状脂肪族基、または
−  例えば、イソドデシル、イソトリデシル、イソテトラデシル、イソペンタデシル、イソヘキサデシル、イソヘプタデシル、イソオクタデシル、イソノナデシル、イソエイコシルおよびイソドコシル基から選択される、一般式：
（ＣＨ３）（ＣＨ３）ＣＨ−（ＣＨ２）ｒ−ＣＨ２−ＯＨ
（式中、ｒは、８〜１８の整数を表す）に対応するイソアルカノールに由来する基、または
−  例えば、２−ブチルオクチル、２−ブチルデシル、２−ヘキシルオクチル、２−ヘキシルデシル、２−オクチルデシル、２−ヘキシルドデシルおよび２−オクチルドデシル基から選択される、式：
ＣＨ（ＣｓＨ２ｓ＋１）（ＣｔＨ２ｔ＋１）−ＣＨ２−ＯＨ
（式中、ｔは、６〜１８の整数であり、ｓは、４〜１８の整数であり、およびｓ＋ｔの和は、１０以上かつ２０以下である）のゲルベアルコールに由来する分枝鎖状アルキル基
のいずれかを示す。
【００３３】
別の具体的な態様によれば、本発明の主題は、式（ＩＩ）の定義において、基Ｒ１が、直鎖状ドデシル、トリデシル、テトラデシル、ペンタデシル、ヘキサデシル、ヘプタデシル、オクタデシル、ノナデシル、エイコサノイルおよびｎ−ドコシル基から、より具体的にはドデシル、トリデシル、テトラデシル、ペンタデシルおよびヘキサデシル基から選択される基を表すことを特徴とする、上に定義される組成物（Ｃ１）である。
【００３４】
別の具体的な態様によれば、本発明の主題は、式（ＩＩ）中、ｐが１５以上かつ１００以下の整数、さらにより具体的には１５以上かつ５０以下の整数、さらにより具体的には１５以上かつ４０以下の整数を表すことを特徴とする、上に定義される組成物（Ｃ１）である。
【００３５】
別の具体的な態様によれば、本発明の主題は、式（ＩＩ）中、基Ｒ１が、直鎖状ドデシル、トリデシル、テトラデシル、ペンタデシルおよびヘキサデシル基から選択される基を表し、およびｐが１５以上かつ４０以下の整数を表すことを特徴とする、上に定義される組成物（Ｃ１）である。
【００３６】
具体的な態様によれば、本発明の主題は、前記架橋アニオン性高分子電解質（ＰＡ）が、トリメチロールプロパントリアクリレートで架橋されている、アンモニウム２−メチル−２−［（１−オキソ−２−プロペニル）アミノ］−１−プロパンスルホン酸と、Ｎ，Ｎ−ジメチルアクリルアミドと、テトラエトキシ化ラウリルメタクリレートとのターポリマーであることを特徴とする、上に定義される組成物（Ｃ１）である。
【００３７】
このような組成物の最も具体的な例として、前記架橋アニオン性高分子電解質（ＰＡ）が、１００ｍｏｌ％当たり：
−  ６０ｍｏｌ％〜８０ｍｏｌ％の、アンモニウム形態で部分的に塩化された２−メチル−２−［（１−オキソ−２−プロペニル）アミノ］−１−プロパンスルホン酸に由来するモノマー単位と、
−  １５ｍｏｌ％〜３９．５ｍｏｌ％の、Ｎ，Ｎ−ジメチルアクリルアミドに由来するモノマー単位と、
−  ０．５ｍｏｌ％〜５ｍｏｌ％の、テトラエトキシ化ラウリルメタクリレートに由来するモノマー単位と
を含むことを特徴とする、上に定義される組成物（Ｃ１）がある。
【００３８】
本発明の主題である上に定義される組成物（Ｃ１）において、「塩（Ｓ）」という用語は、その結晶格子が水素イオン以外の少なくとも１つのタイプのカチオンおよび水酸化イオン以外の少なくとも１つのタイプのアニオンの関与を含む異極性化合物を示す。
【００３９】
より具体的な態様によれば、本発明の主題である組成物（Ｃ１）中で溶解された形態にある塩（Ｓ）は、無機塩および有機塩から選択される。
【００４０】
具体的な態様によれば、本発明の主題は、塩（Ｓ）が無機塩から、より具体的にはアンモニウムまたは金属カチオンのハロゲン化物、炭酸塩、重炭酸塩、リン酸塩、硝酸塩、ホウ酸塩および硫酸塩から選択されることを特徴とする、上に定義される組成物（Ｃ１）である。
【００４１】
より具体的な態様によれば、本発明の主題は、塩（Ｓ）が、無機塩であって、その金属カチオンが、ナトリウム、カリウム、リチウム、カルシウム、マグネシウム、亜鉛、マンガン、鉄、銅、コバルト、銀、金、アルミニウム、バリウム、ビスマス、セレン、ジルコニウム、ストロンチウムおよびスズカチオンから選択される一価または多価カチオンである、無機塩であることを特徴とする、上に定義される組成物（Ｃ１）である。
【００４２】
別の具体的な態様によれば、塩（Ｓ）は、有機塩、より具体的にはアンモニウムカチオンまたは一価もしくは多価金属カチオン（Ｓ）と、少なくとも１つのカルボキシレート、スルホネートまたはサルフェート官能基を有する有機アニオンとの塩（Ｓ）から特に選択される。
【００４３】
この具体的な態様によれば、本発明の主題は、塩（Ｓ）が、より具体的には、ナトリウム、カリウム、リチウム、カルシウム、マグネシウム、亜鉛、マンガン、鉄、銅、コバルト、銀、金、アルミニウム、バリウム、ビスマス、セレン、ジルコニウム、ストロンチウムおよびスズカチオンからなる群の要素から選択される一価または多価金属カチオンによって構成される有機塩であることを特徴とする、上に定義される組成物（Ｃ１）である。この具体的な態様によれば、塩（Ｓ）は、ナトリウム、カルシウム、マグネシウム、亜鉛およびマンガンカチオンからなる群の要素から選択されるカチオンによって構成される有機塩であり、さらにより具体的には、塩（Ｓ）は、ナトリウムカチオンによって構成される有機塩である。
【００４４】
別の具体的な態様によれば、本発明の主題は、塩（Ｓ）が、アンモニウムイオンまたは上に定義される金属カチオンであるカチオンと、グリコール酸、クエン酸、酒石酸、サリチル酸、乳酸、マンデル酸、アスコルビン酸、ピルビン酸、フマル酸、レチノイン酸、安息香酸、コウジ酸、エラグ酸、リンゴ酸、グルコン酸、ソルビン酸、ガラクツロン酸、プロピオン酸、デヒドロ酢酸、ヘプタン酸、４−アミノ安息香酸、ケイ皮酸、ベンザルマロン酸、アスパラギン酸、グルタミン酸、グリシン、カプリロイルグリシン、ウンデシレノイルグリシン、ウンデシレン酸（ｕｎｄｅｃｙｌｅｎｏｉｃ  ａｃｉｄ）、フェニルアラニン、ウンデシレノイルフェニルアラニンおよびヒアルロン酸からなる群の要素から選択される、カルボキシレート形態の少なくとも１つのカルボン酸官能基を有する有機化合物である有機アニオンとによって構成される有機塩であることを特徴とする、上に定義される組成物（Ｃ１）である。
【００４５】
さらにより具体的な態様によれば、本発明の主題は、塩（Ｓ）が塩化ナトリウム、塩化カルシウム、塩化マグネシウム、硫酸カルシウム、硫酸アンモニウム、炭酸カルシウム、硫酸亜鉛、硫酸マグネシウム、ホウ酸ナトリウム、グリコール酸ナトリウム、クエン酸ナトリウム、サリチル酸ナトリウム、乳酸ナトリウム、グルコン酸ナトリウム、グルコン酸亜鉛、グルコン酸マンガン、グルコン酸銅およびアスパラギン酸マグネシウムから選択されることを特徴とする、上に定義される組成物（Ｃ１）である。
【００４６】
別の具体的な態様によれば、本発明の主題は、塩（Ｓ）が、アンモニウムイオンまたは上に定義される金属カチオンであるカチオンと、２−フェニルベンズイミダゾール−５−スルホン酸、ベンゾフェノンに由来するスルホン酸、例えば４−ヒドロキシ−２−メトキシ−５−（オキソフェニルメチル）ベンゼンスルホン酸（前記酸は、ベンゾフェノン−４の名称で登録されている）、３−ベンジリデンカンファーに由来するスルホン酸、例えば４−（２−オキソ−３−ボルニリデンメチル）ベンゼンスルホン酸および２−メチル−５−（２−オキソ−３−ボルニリデンメチル）ベンゼンスルホン酸からなる群の要素から選択されるスルホネート形態の少なくとも１つのスルホン酸官能基を有する有機化合物である有機アニオンとによって構成される有機塩であることを特徴とする、上に定義される組成物（Ｃ１）である。
【００４７】
さらにより具体的な態様によれば、本発明の主題は、塩（Ｓ）が、ナトリウム２−フェニルベンズイミダゾール−５−スルホネートおよびナトリウム４−ヒドロキシ−２−メトキシ−５−（オキソフェニルメチル）ベンゼンスルホネートからなる群の要素から選択される有機塩であることを特徴とする、上に定義される組成物（Ｃ１）である。
【００４８】
２−フェニルベンズイミダゾール−５−スルホン酸は、特にＥｕｓｏｌｅｘ（商標）２３２の商標で販売されている。ナトリウム４−ヒドロキシ−２−メトキシ−５−（オキソフェニルメチル）ベンゼンスルホネートは、ベンゾフェノン−５の名称で登録されている。
【００４９】
本発明に係る組成物（Ｃ１）は、２０℃〜８０℃、より具体的には２０℃〜６０℃、さらにより具体的には２０℃〜４５℃の温度において、５０ｒｐｍ〜５００ｒｐｍ、より具体的には５０ｒｐｍ〜１００ｒｐｍの撹拌速度で機械的撹拌を用いてその成分を混合することによって調製される。
【００５０】
本発明の主題である組成物（Ｃ１）は、エアゾールデバイスもしくは「ポンプボトル」タイプのデバイス中に、穿孔した壁、例えば格子を備えたデバイス中に、またはボールアプリケータ（「ロールオン」として知られている）を備えたデバイス中に加圧された形態で包装され得る。それがボトル中に包装される場合、上に定義される本発明に係る組成物（Ｃ１）は、機械的加圧デバイスまたは噴射剤ガスによって微細液滴の形態で適用され得る。本発明に係る組成物（Ｃ１）と組み合わされ得る噴射剤の中でも、ヒドロフルオロ化合物、例えばジクロロジフルオロメタン、トリクロロフルオロメタン、ジフルオロエタン、イソブタン、ブタンおよびプロパンがある。
【００５１】
上に定義される組成物（Ｃ１）は、局所使用のための製剤、特に化粧品、皮膚用化粧品、医薬製剤または皮膚用医薬製剤の分野で一般的に使用される賦形剤および／または活性成分も含み得る。
【００５２】
このような理由で、別の具体的な形態によれば、本発明の主題は、発泡性および／または洗浄用界面活性剤、増粘性および／またはゲル化界面活性剤、増粘剤および／またはゲル化剤、安定剤、塗膜形成性化合物、溶媒および共溶媒、ヒドロトロープ剤、可塑剤、乳白剤、真珠光沢剤、金属イオン封鎖剤、キレート剤、酸化防止剤、香料、精油、保存料、調整剤、消臭剤、体毛および皮膚の脱色を目的とした漂白剤、皮膚または毛髪に対する処置および／または保護作用を与えることを目的とした活性成分、日焼け止め剤、無機充填剤または顔料、視覚効果を与えるかまたは活性剤を封入することを目的とした粒子、角質除去粒子、テクスチャ剤、光学的光沢剤ならびに昆虫忌避剤から選択される１つまたは複数の補助化合物も含むことを特徴とする、上に定義される組成物（Ｃ１）である。
【００５３】
本発明に係る組成物（Ｃ１）と組み合わされ得る揮発性溶媒の中でも、揮発性水溶性アルコール、例えばエタノール、イソプロパノールまたはブタノール、より具体的にはエタノール、有機溶媒、例えばグリセロール、ジグリセロール、グリセロールオリゴマー、１，２−プロパンジオール、１，３−プロパンジオール、１，３−ブタンジオール、１，４−ブタンジオール、１，６−ヘキサンジオール、２−メチル−２，４−ペンタンジオール、１，２−ペンタンジオール、２−メチル−１，３−プロパンジオール、２−メチル−２，４−ペンタンジオール（またはヘキシレングリコール）、ジプロピレングリコール、キシリトール、エリトリトールおよびソルビトールがある。具体的な態様によれば、本発明に係る組成物（Ｃ１）は、その質量１００％当たり最大で２０質量％の、エタノール、イソプロパノール、ブタノール、１，３−プロパンジオール、１，３−ブタンジオール、２−メチル−２，４−ペンタンジオール、キシリトールおよびソルビトールから選択される１つまたは複数の揮発性溶媒を含む。
【００５４】
別の具体的な態様によれば、本発明に係る組成物（Ｃ１）は、揮発性溶媒を含まない。
【００５５】
別の具体的な態様によれば、本発明に係る組成物（Ｃ１）は、ヒドロゲルである。
【００５６】
本発明に係る組成物（Ｃ１）と組み合わされ得る水溶性酸化防止剤の中でも、アスコルビン酸、グルタチオン、酒石酸、シュウ酸およびグルタミン酸二酢酸四ナトリウムがある。
【００５７】
本発明に係る組成物（Ｃ１）と組み合わされ得る水溶性金属イオン封鎖剤の中でも、エチレンジアミン四酢酸（ＥＤＴＡ）塩、例えばＥＤＴＡのナトリウム塩、およびジエチレントリアミン五酢酸（ＤＴＰＡ）塩、例えばＤＴＰＡのナトリウム塩がある。
【００５８】
本発明に係る組成物（Ｃ１）と組み合わされ得る水溶性色素の中でも、カラメル、黄色（Ｙｅｌｌｏｗ）５、アシッドブルー（Ａｃｉｄ  Ｂｌｕｅ）９／青色（Ｂｌｕｅ）１、緑色（Ｇｒｅｅｎ）５、緑色（Ｇｒｅｅｎ）３／ファストグリーン（Ｆａｓｔ  Ｇｒｅｅｎ）ＦＣＦ  ３、オレンジ（Ｏｒａｎｇｅ）４、赤色（Ｒｅｄ）４／食用赤色（Ｆｏｏｄ  Ｒｅｄ）１、黄色（Ｙｅｌｌｏｗ）６、アシッドレッド（Ａｃｉｄ  Ｒｅｄ）３３／食用赤色（Ｆｏｏｄ  Ｒｅｄ）１２、赤色（Ｒｅｄ）４０、コチニールカルミン（ＣＩ  １５８５０、ＣＩ  ７５４７０）、エクストラバイオレット（Ｅｘｔ．Ｖｉｏｌｅｔ）２、赤色（Ｒｅｄ）６〜７、フェロシアン化第二鉄（Ｆｅｒｒｉｃ  Ｆｅｒｒｏｃｙａｎｉｄｅ）、ウルトラマリン（Ｕｌｔｒａｍａｒｉｎｅｓ）、アシッドイエロー（Ａｃｉｄ  ｙｅｌｌｏｗ）３／黄色（Ｙｅｌｌｏｗ）１０、アシッドブルー（Ａｃｉｄ  Ｂｌｕｅ）３、黄色（Ｙｅｌｌｏｗ）１０がある。
【００５９】
本発明に係る組成物（Ｃ１）と組み合わされ得る色安定化水溶性剤の中でも、トリス（テトラメチルヒドロキシピペリジノール）シトレート、ナトリウムベンゾトリアゾリルブチルフェノールスルホネートおよびベンゾトリアゾリルドデシルｐ−クレゾールがある。
【００６０】
本発明の主題である組成物（Ｃ１）中に任意選択的に存在する発泡性および／または洗浄用界面活性剤の例として、この活性分野で一般的に使用される局所的に許容されるアニオン性、カチオン性、両性もしくは非イオン性発泡性および／または洗浄用界面活性剤が挙げられ得る。
【００６１】
本発明の主題である組成物（Ｃ１）と組み合わされ得る発泡性および／または洗浄用アニオン性界面活性剤の中でも、アルキルエーテルサルフェート、アルキルサルフェート、アルキルアミドエーテルサルフェート、アルキルアリールポリエーテルサルフェート、モノグリセリドサルフェート、α−オレフィンスルホネート、パラフィンスルホネート、アルキルホスフェート、アルキルエーテルホスフェート、アルキルスルホネート、アルキルアミドスルホネート、アルキルアリールスルホネート、アルキルカルボキシレート、アルキルスルホサクシネート、アルキルエーテルスルホサクシネート、アルキルアミドスルホサクシネート、アルキルスルホアセテート、アルキルサルコシネート、アシルイセチオネート、Ｎ−アシルタウレート、アシルラクチレート、Ｎ−アシルアミノ酸誘導体、Ｎ−アシルペプチド誘導体、Ｎ−アシルタンパク質誘導体または脂肪酸のアルカリ金属塩、アルカリ土類金属塩、アンモニウム塩、アミン塩、アミノアルコール塩が挙げられ得る。
【００６２】
本発明の主題である組成物（Ｃ１）中に任意選択的に存在する発泡性および／または洗浄用両性界面活性剤の中でも、アルキルベタイン、アルキルアミドベタイン、スルタイン、アルキルアミドアルキルスルホベタイン、イミダゾリン誘導体、ホスホベタイン、アンホポリアセテート（ａｍｐｈｏｐｏｌｙａｃｅｔａｔｅ）およびアンホプロピオネート（ａｍｐｈｏｐｒｏｐｉｏｎａｔｅ）が挙げられ得る。
【００６３】
本発明の主題である組成物（Ｃ１）中に任意選択的に存在する発泡性および／または洗浄用カチオン性界面活性剤の中でも、特に第四級アンモニウム誘導体が挙げられ得る。
【００６４】
本発明の主題である組成物（Ｃ１）中に任意選択的に存在する発泡性および／または洗浄用非イオン性界面活性剤の中でも、より具体的には直鎖状または分枝鎖状、飽和または不飽和脂肪族基を含み、かつ８〜１２個の炭素原子を含むアルキルポリグリコシド、ヒマシ油誘導体、ポリソルベート、ヤシ仁アミド（ｃｏｃｏｎｕｔ  ｋｅｒｎｅｌ  ａｍｉｄｅ）およびＮ−アルキルアミンが挙げられ得る。
【００６５】
本発明の主題である組成物（Ｃ１）中に任意選択的に存在するテクスチャ剤の例として、Ｎ−アシルアミノ酸誘導体、例えばＡｍｉｎｏｈｏｐｅ（商標）ＬＬの名称で販売されているラウロイルリジン、Ｄｒｙｆｌｏ（商標）の名称で販売されているオクテニルコハク酸デンプン、Ｍｏｎｔａｎｏｖ（商標）１４の名称で販売されているミリスチルポリグルコシド、セルロース繊維、綿繊維、キトサン繊維、タルク、絹雲母、雲母およびパーライトが挙げられ得る。
【００６６】
本発明の主題である組成物（Ｃ１）中に任意選択的に存在する活性成分の例としては、以下のものが挙げられる：
−  ビタミンおよびその誘導体、例えばレチノール（ビタミンＡ）およびそのエステル（例えば、パルミチン酸レチニル）、塩およびエステルの形態のアスコルビン酸（ビタミンＣ）、アスコルビン酸の糖誘導体（例えば、アスコルビルグルコシド）、トコフェロール（ビタミンＥ）およびそのエステル（例えば、酢酸トコフェロール）、ビタミンＢ３またはＢ１０（ナイアシンアミドおよびその誘導体）；
−  皮膚に対する明色化または脱色作用を有する化合物、例えばＳｅｐｉｗｈｉｔｅ（商標）ＭＳＨ、アルブチン、コウジ酸、ヒドロキノン、Ｖｅｇｅｗｈｉｔｅ（商標）、Ｇａｔｕｌｉｎｅ（商標）、Ｓｙｎｅｒｌｉｇｈｔ（商標）、Ｂｉｏｗｈｉｔｅ（商標）、Ｐｈｙｔｏｌｉｇｈｔ（商標）、Ｄｅｒｍａｌｉｇｈｔ（商標）、Ｃｌａｒｉｓｋｉｎ（商標）、Ｍｅｌａｓｌｏｗ（商標）、Ｄｅｒｍａｗｈｉｔｅ（商標）、Ｅｔｈｉｏｌｉｎｅ、Ｍｅｌａｒｅｓｔ（商標）、Ｇｉｇａｗｈｉｔｅ（商標）、Ａｌｂａｔｉｎｅ（商標）およびＬｕｍｉｓｋｉｎ（商標）；
−  Ｓｅｐｉｃａｌｍ（商標）Ｓ、アラントインおよびビサボロールなどの鎮静作用を有する化合物；
−  抗炎症薬；
−  保湿作用を有する化合物、例えばジグリセロール、トリグリセロール、尿素、ヒドロキシ尿素、グリセロールグルコシド、ジグリセロールグルコシド、ポリグリセリルグルコシド、エリスリチルグルコシド、ソルビチルグルコシド、キシリチルグルコシド、Ａｑｕａｘｙｌ（商標）の商標で販売されている組成物（キシリチルグルコシド、無水キシリトールおよびキシリトールを含む）；
−  痩身または脂肪分解作用を有する化合物、例えばカフェインまたはその誘導体、Ａｄｉｐｏｓｌｉｍ（商標）およびＡｄｉｐｏｌｅｓｓ（商標）；
−  Ｎ−アシルタンパク質；Ｎ−アシルペプチド、例えばＭａｔｒｉｘｉｌ（商標）；Ｎ−アシルアミノ酸；Ｎ−アシルタンパク質の部分加水分解物；アミノ酸；ペプチド；総タンパク質加水分解物；
−  タンニン、ポリフェノールおよび／またはイソフラボンに富んだ植物抽出物、例えばブドウ抽出物、マツ抽出物、ワイン抽出物、オリーブ抽出物；大豆抽出物、例えばＲａｆｆｅｒｍｉｎｅ（商標）；小麦抽出物、例えばＴｅｎｓｉｎｅ（商標）またはＧｌｉａｄｉｎｅ（商標）；テルペンに富んだ植物抽出物；淡水もしくは海水藻類抽出物；一般にサンゴなどの海洋抽出物；
−  抗菌作用または浄化作用を有する化合物、例えばＬｉｐａｃｉｄｅ（商標）Ｃ８Ｇ、Ｌｉｐａｃｉｄｅ（商標）ＵＧ、Ｓｅｐｉｃｏｎｔｒｏｌ（商標）Ａ５；Ｏｃｔｏｐｉｒｏｘ（商標）またはＳｅｎｓｉｖａ（商標）ＳＣ５０；
−  賦活または刺激特性を有する化合物、例えばＰｈｙｓｉｏｇｅｎｙｌ（商標）、パンテノールおよびＳｅｐｉｃａｐ（商標）ＭＰなどのその誘導体；
−  アンチエイジング活性剤、例えばＳｅｐｉｌｉｆｔ（商標）ＤＰＨＰ、Ｌｉｐａｃｉｄｅ（商標）ＰＶＢ、Ｓｅｐｉｖｉｎｏｌ（商標）、Ｓｅｐｉｖｉｔａｌ（商標）、Ｍａｎｏｌｉｖａ（商標）、Ｐｈｙｔｏ−Ａｇｅ（商標）、Ｔｉｍｅｃｏｄｅ（商標）またはＳｕｒｖｉｃｏｄｅ（商標）；
−  光老化に対処するための活性剤；
−  細胞外基質成分の合成を増大するための活性剤、例えばコラーゲン、エラスチンおよびグリコサミノグリカン；
−  サイトカインなどの化学的な細胞伝達に対して有利に作用する活性剤、またはインテグリンなどの物理的な細胞伝達に対して有利に作用する活性剤；
−  皮膚に対して「温」感を生じる活性剤、例えば皮膚毛細血管循環活性剤（例えば、ニコチン酸誘導体）または皮膚に対して「清涼」感を生じる製品（例えば、メントールおよびその誘導体）；
−  皮膚毛細血管循環を改善する活性剤、例えば静脈強壮剤；排出活性剤；充血除去活性剤、例えばイチョウ（Ｇｉｎｋｇｏ  ｂｉｌｏｂａ）、アイビー、セイヨウトチノキ、タケ、ナギイカダ属（ｒｕｓｃｕｓ）、ナギイカダ、ツボクサ（Ｃｅｎｔｅｌｌａ  ａｓｉａｔｉｃａ）、ヒバマタ属（ｆｕｃｕｓ）、ローズマリーまたはヤナギの抽出物；
−  皮膚引き締め剤として作用する活性剤、例えば植物タンパク質加水分解物、海洋起源の加水分解物、例えばコンブ抽出物の加水分解物、魚類軟骨加水分解物、海洋エラスチン、Ｓｅｓａｆｌａｓｈ（商標）の商標でＳＥＰＰＩＣ社によって販売されている製品、およびコラーゲン溶液；
−  皮膚タンニング剤または褐色化剤、例えばジヒドロキシアセトン、イサチン、アロキサンまたはニンヒドリン、グリセルアルデヒド、メソ酒石酸アルデヒド、グルタルアルデヒドまたはエリトルロース。
【００６７】
本発明の主題である組成物（Ｃ１）中に任意選択的に存在する消臭剤の例として、アルカリ金属ケイ酸塩、亜鉛塩、例えば硫酸亜鉛、グルコン酸亜鉛、塩化亜鉛または乳酸亜鉛；第四級アンモニウム塩、例えばセチルトリメチルアンモニウム塩またはセチルピリジニウム塩；グリセロール誘導体、例えばカプリン酸グリセリル、カプリル酸グリセリルおよびカプリン酸ポリグリセリル；１，２−デカンジオール；１，３−プロパンジオール；サリチル酸；炭酸水素ナトリウム；シクロデキストリン；金属ゼオライト；Ｔｒｉｃｌｏｓａｎ（商標）；アルミニウムホウ素水和物、アルミニウム塩化水和物、塩化アルミニウム、硫酸アルミニウム、アルミニウムジルコニウム塩化水和物、アルミニウムジルコニウム三塩化水和物、アルミニウムジルコニウム四塩化水和物、アルミニウムジルコニウム五塩化水和物、アルミニウムジルコニウム八塩化水和物、硫酸アルミニウム、乳酸アルミニウムナトリウム、アルミニウム塩化水和物とグリコールとの錯体、例えばアルミニウム塩化水和物とプロピレングリコールとの錯体、アルミニウム二塩化水和物とプロピレングリコールとの錯体、アルミニウムセスキ塩化水和物とプロピレングリコールとの錯体、アルミニウム塩化水和物とポリエチレングリコールとの錯体、アルミニウム二塩化水和物とポリエチレングリコールとの錯体、またはアルミニウムセスキ塩化水和物とポリエチレングリコールとの錯体が挙げられ得る。
【００６８】
本発明の主題である組成物（Ｃ１）中に任意選択的に存在する日焼け止め剤の例として、改正された化粧品規制７６／７６８／ＥＥＣ、付録ＶＩＩに列挙される全てのものが挙げられる。
【００６９】
本発明の主題は、皮膚を洗浄し、かつ／もしくは保護し、かつ／もしくはケアするため、および／または皮膚、毛髪もしくは粘膜の美的外観を改善しかつ／もしくは保つための局所用化粧用組成物としての、上に定義される組成物（Ｃ１）の使用である。
【００７０】
組成物（Ｃ１）の定義において使用される「局所」という用語は、本特許出願の趣旨では、化粧品、皮膚用化粧品、皮膚用医薬製剤もしくは医薬製剤の場合の直接適用であれ、または例えば織物物品、例えば拭き取り繊維、または紙物品、例えば衛生用途のための紙の形態での、身体の衛生のためまたは皮膚をケアもしくは保護するための製品の場合の間接的な適用であれ、前記組成物（Ｃ１）が、皮膚、頭皮または粘膜への適用によって使用されることを意味する。
【００７１】
より具体的な態様によれば、本発明の主題である組成物（Ｃ１）が皮膚、毛髪または頭皮を洗浄するのに使用される場合、それは、少なくとも１つの洗浄用界面活性剤も含む。
【００７２】
別のより具体的な態様によれば、本発明の主題である組成物（Ｃ１）は、皮膚をケアするかもしくは例えば太陽放射から皮膚を保護するため、または皮膚の老化を防ぐため、またはにきびおよび／もしくは毛穴の黒ずみおよび／もしくは面皰を処置するための化粧品としてまたは保湿製品として使用され得る。
【００７３】
本発明の主題は、０．０２ｍｏｌ〜１ｍｏｌ／リットルの、アンモニウムカチオンまたは一価もしくは多価金属カチオン（Ｓ）と、有機または無機アニオンとの少なくとも１つの塩（Ｓ）を、溶解された形態で含む少なくとも９０質量％の水、ならびに部分的にまたは完全に塩化された２−メチル−２−［（１−オキソ−２−プロペニル）アミノ］−１−プロパンスルホン酸と、Ｎ，Ｎ−ジアルキルアクリルアミドであって、アルキル基のそれぞれは、１〜４個の炭素原子を含む、Ｎ，Ｎ−ジアルキルアクリルアミドから選択される少なくとも１つの中性モノマーと、式（Ｉ）：
【００７４】
【化３】
2019524942.tif 000004
【００７５】
（式中、Ｒは、８〜２０個の炭素原子を含む直鎖状または分枝鎖状アルキル基を表し、およびｎは、１以上かつ２０以下の数を表す）の少なくとも１つのモノマーとの、少なくとも１つの架橋剤の存在下における重合から誘導される少なくとも１つの架橋アニオン性高分子電解質（ＰＡ）を含む組成物を明色化するための方法であって、有効量の、式（ＩＩ）：
Ｒ１−（Ｏ−ＣＨ２−ＣＨ２）ｐ−ＯＨ  （ＩＩ）
（式中、Ｒ１は、１２〜２２個の炭素原子を含む、１つまたは複数のヒドロキシル基で任意選択的に置換される飽和または不飽和、直鎖状または分枝鎖状炭化水素系脂肪族基を表し、およびｐは、１０以上かつ１００以下の整数を表す）の少なくとも１つの化合物を前記組成物に加える工程であって、それにより、前記組成物は、この工程の最後に、その質量１００％当たり、
ａ）−  ０．０２ｍｏｌ〜１ｍｏｌ／リットルの、アンモニウムカチオンまたは一価もしくは多価金属カチオン（Ｓ）と、有機または無機アニオンとの少なくとも１つの塩（Ｓ）を、溶解された形態で含む９０質量％〜９９．０質量％の水、
ｂ）−  ０．５質量％〜５質量％の式（Ｉ）の前記化合物、
ｃ）−  ０．５質量％〜５質量％の式（ＩＩ）の前記化合物
を含む、工程を含み、前記架橋アニオン性高分子電解質（ＰＡ）と前記式（ＩＩ）の化合物との間の質量比（Ｒａ）は、０．２以上かつ２．０以下であることと、式（ＩＩ）の化合物と塩（Ｓ）との間のモル比（Ｒｂ）は、０．０２以上かつ１以下であることとが理解される、方法でもある。
【００７６】
本発明の趣旨では、「明色化」という用語は、前記組成物の外観の視覚的改善を指し、これは、２５℃の温度でおよびホルマジン溶液（０．９  ＮＴＵ）で予め校正された、ＨＦ  Ｓｃｉｅｎｔｉｆｉｃ社によって販売されているＤＲＴ  １００Ｂモデル光学濁度計を用いて測定される２５ＮＴＵ以下の組成物（Ｃ１）の濁度値の獲得によって反映される。
【００７７】
上に定義されるプロセスの定義において、「有効量の式（ＩＩ）の化合物」という用語は、前記プロセスによって得られる最終的な組成物が、
−  ２５℃の温度において、およびホルマジン溶液（０．９ＮＴＵ）で予め校正された、ＨＦ  Ｓｃｉｅｎｔｉｆｉｃ社によって販売されているＤＲＴ  １００Ｂモデル光学濁度計を用いて測定される２５ＮＴＵ以下の濁度値を有し、
−  １００ｍＰａ．ｓ以上かつ５０  ０００ｍＰａ．ｓ以下の動的粘度（前記動的粘度は、６ｒｐｍの回転速度および２５℃±２℃の温度でＬＶタイプのＢｒｏｏｋｆｉｅｌｄ粘度計を用いて測定される）を有し、および
−  ２５℃の温度で３ヶ月間にわたる貯蔵後に均質なままである
ような式（ＩＩ）の化合物の質量を示す。
【００７８】
以下の実験試験は、本発明を例示するが、それを限定するものではない。
【実施例】
【００７９】
Ｉ）−  架橋アニオン性高分子電解質の調製
Ｉ−１  トリメチロールプロパントリアクリレート（ＴＭＰＴＡ）で架橋されている、アンモニウム２−メチル−２−［（１−オキソ−２−プロペニル）アミノ］−１−プロパンスルホネート、Ｎ，Ｎ−ジメチルアクリルアミドおよびテトラエトキシ化ラウリルメタクリレートのターポリマー［ＡＭＰＳＮＨ４／ＤＭＡＭ／ＬＭＡ（４ＥＯ）７７．４／１９．２／３．４モル］
ｔｅｒｔ−ブタノール／水混合物（体積基準で９７．５／２．５）中の１５質量％のアンモニウム２−メチル−２−［（１−オキソ−２−プロペニル）アミノ］−１−プロパンスルホネート（ＡＭＰＳＮＨ４）、１０．１ｇのＮ，Ｎ−ジメチルアクリルアミド（ＤＭＡＭ）、４．２ｇのテトラエトキシ化ラウリルメタクリレート［ＬＭＡ（４ＥＯ）］および０．７５ｇのＴＭＰＴＡを含有する５９２ｇの水溶液を撹拌しながら２５℃に維持された反応器に入れる。溶液の良好な均質化を達成するのに十分な時間後、それを、７０℃に加熱された窒素でスパージすることによって脱酸素化する。次に、０．４２ｇの過酸化ジラウロイルを加え、次に反応媒体を７０℃で約６０分間、次に８０℃で２時間維持する。冷却後、重合中に形成された粉末をろ過して取り出し、乾燥させて、所望の生成物を得る。これは、以後、「高分子電解質（ＰＡ）」と呼ばれる。
【００８０】
ＩＩ）−  本発明に係る水性組成物および比較例の水性組成物の調製および評価
ＩＩ−１  本発明に係る水性組成物の調製
（Ｅ１）〜（Ｅ１４）と示される本発明に係る１４の水性組成物を調製し、その成分の質量比率が表１に示される。
【００８１】
これらの１４の組成物に共通の調製方法は、以下のとおりである：
−  必要な量の水を、機械的撹拌および２０℃の温度で熱交換流体を含むジャケットを備えた反応器に注ぎ、次に８０ｒｐｍの速度で機械的撹拌を用いて７５℃の温度にし、
−  次に、架橋アニオン性高分子電解質（ＰＡ）を、機械的撹拌を用いて７５℃のこの温度で徐々に加え、
−  上で得られたゲルの均質化後、次に、試験される式（ＩＩ）の可溶化剤を、８０ｒｐｍの速度で機械的撹拌を用いて７５℃の温度で徐々に加え、
−  次に、得られた混合物を４０℃の温度に冷却し、次に塩（Ｓ）および保存料を、８０ｒｐｍの速度で機械的撹拌を続けながら、上で得られた媒体に加える。
【００８２】
【表１−１】
2019524942.tif 000005
【００８３】
【表１−２】
2019524942.tif 000006
【００８４】
【表１−３】
2019524942.tif 000007
【００８５】
【表１−４】
2019524942.tif 000008
【００８６】
ＩＩ−２  比較例の水性組成物の調製
（Ｆ１）〜（Ｆ８）と示される８つの比較例の水性組成物を調製し、その成分の質量比率が表２に示される。
【００８７】
これらの８つの組成物に共通の調製方法は、以下のとおりである：
−  必要な量の水を、機械的撹拌および２０℃の温度で熱交換流体を含むジャケットを備えた反応器に注ぎ、次に８０ｒｐｍの速度で機械的撹拌を用いて７５℃の温度にし、
−  次に、架橋アニオン性高分子電解質（ＰＡ）を、機械的撹拌を用いて７５℃のこの温度で徐々に加え、
−  上で得られたゲルの均質化後、次に、試験される式（ＩＩ’）の可溶化剤を、８０ｒｐｍの速度で機械的撹拌を用いて７５℃の温度で徐々に加え、
−  次に、得られた混合物を４０℃の温度に冷却し、次に塩（Ｓ）および保存料を、８０ｒｐｍの速度で機械的撹拌を続けながら、上で得られた媒体に加える。
【００８８】
【表２−１】
2019524942.tif 000009
【００８９】
【表２−２】
2019524942.tif 000010
【００９０】
ＩＩ−３  本発明に係る水性組成物および比較例の水性組成物の特性および特徴の実証
次に、このように調製された本発明に係る水性組成物（Ｅ１）〜（Ｅ１４）および比較例の組成物（Ｆ１）〜（Ｆ８）を、２５℃の温度に調節された断熱された気候室中で７日間にわたって貯蔵する。７日間のこの期間の最後に、各水性組成物を以下の測定によって評価する：
−  ２５℃で７日間の貯蔵の期間後、好適なスピンドルを備えた６ｒｐｍ（Ｖ６）の速度のＢｒｏｏｋｆｉｅｌｄ  ＬＶＴ粘度計を用いた２５℃での動的粘度（μ）の測定；
−  ホルマジン溶液（０．９ＮＴＵ）で予め校正されたＨＦ  Ｓｃｉｅｎｔｉｆｉｃ（商標）、モデルＤＲＴ１００Ｂ光学濁度計を用いた、２５℃の温度での、得られた水性組成物の濁度の測定；濁度測定値は、ＮＴＵ単位で表される；
−  ２５℃で３ヶ月の貯蔵の期間後の、調製された水性組成物の外観の視覚的評価；各水性組成物の外観は、実験者によって示され、事例に応じて透明（Ｌ）、混濁（Ｔ）または混濁−不均一（Ｔ−Ｈ）と見なされる。
【００９１】
本発明に係る水性組成物（Ｅ１）〜（Ｅ１４）および比較例の組成物（Ｆ１）〜（Ｆ８）について得られた結果は、それぞれ以下の表３および４に並べられる。
【００９２】
【表３−１】
2019524942.tif 000011
【００９３】
【表３−２】
2019524942.tif 000012
【００９４】
【表３−３】
2019524942.tif 000013
【００９５】
【表４−１】
2019524942.tif 000014
【００９６】
【表４−２】
2019524942.tif 000015
【００９７】
ＩＩ−４  結果の分析
ａ）比較例の組成物（Ｆ２）、（Ｆ３）、（Ｆ４）および（Ｆ５）中にそれぞれ存在する、当業者に公知の可溶化剤、例えばポリソルベート２０、２５ｍｏｌのエチレンオキシドでエトキシ化された水素化ヒマシ油、カプリリル／カプリルグルコシドまたはｎ−ヘプチルグルコシドの使用は、組成物（Ｆ１）によって表される、２％の質量の塩化ナトリウムを含む高粘度の水性組成物を十分にかつ満足のいくように明色化することを可能にしない。具体的には、可溶化剤の性質のみが異なる比較例の組成物（Ｆ２）、（Ｆ３）、（Ｆ４）および（Ｆ５）は、１００ＮＴＵ未満の濁度値に達することを可能にしない。
【００９８】
ｂ）組成物（Ｅ１）および（Ｅ２）中にそれぞれ存在する、２３ｍｏｌのエチレンオキシドでエトキシ化されたラウリルアルコールおよび２０ｍｏｌのエチレンオキシドでエトキシ化されたパルミチルアルコールの可溶化剤としての使用は、組成物（Ｆ１）によって表される、２％の質量の塩化ナトリウムを含む高粘度の水性組成物を十分にかつ満足のいくように明色化することを可能にする一方、組成物（Ｆ６）中の７ｍｏｌのエチレンオキシドでエトキシ化されたラウリルアルコールの使用は、十分かつ満足のいく明色化を得ることを可能にしない。具体的には、本発明に係る組成物（Ｅ１）および（Ｅ２）は、それぞれ１１ＮＴＵおよび１４ＮＴＵの濁度値によって特徴付けられる一方、比較例の組成物（Ｆ６）の濁度は、６５ＮＴＵに等しい。
【００９９】
ｃ）本発明に係る組成物（Ｅ３）〜（Ｅ１４）は、関連する成分の様々な質量比率において、上に定義される質量比Ｒａおよびモル比Ｒｂの様々な値について２５ＮＴＵ未満の濁度値の獲得を示す。比較例の組成物（Ｆ７）および（Ｆ８）は、比率ＲａまたはＲｂの少なくとも１つが必要な値の範囲内にない場合、得られる明色化が不十分でありかつ満足のいくものではないことを示す。具体的には、比較例の組成物（Ｆ７）の場合、質量比Ｒａの値は、４．５で確立され、モル比Ｒｂの値は、０．０１２で確立され、組成物（Ｆ７）の濁度値は、１５５ＮＴＵで測定される。同様に、比較例の組成物（Ｆ８）の場合、質量比Ｒａの値は、２．２５で確立され、組成物（Ｆ８）の濁度値は、５２ＮＴＵで測定される。
【０１００】
比較すると、本発明に係る組成物（Ｅ１）〜（Ｅ１４）および比較例の組成物（Ｆ１）〜（Ｆ８）について得られた結果は、十分なレベルの粘度を保った高粘度の塩に富んだ水性組成物の明色化が、先行技術の水性組成物に関連する結果から推定できなかったことを明らかに示す。
【０１０１】
ＩＩＩ  −  だるい脚のためのドレイニング（ｄｒａｉｎｉｎｇ）およびリフレッシング（ｒｅｆｒｅｓｈｉｎｇ）用流体
【０１０２】
［表］
2019524942.tif 000016
【０１０３】
手順：
２０００ｒｐｍの速度において、ロータ−ステータ型のターボミキサーを用いた機械的撹拌を用いて、均一なゲルが得られるまで、Ｓｅｐｉｎｏｖ（商標）ＥＭＴ１０および高分子電解質（ＰＡ１）を、予め７５℃の温度にされた水とグリセロールとの混合物に分散させる。次に、１５００ｒｐｍの速度で機械的撹拌を用いて、相Ｂを予め得られた水性ゲルに徐々に加える。次に、混合物を４０℃の温度に冷却し、次に相Ｃを徐々に加え、次に得られた配合物を室温で３０分間にわたって均質化する。
【０１０４】
例に使用される商品は、以下のように定義される：
−  Ｓｅｐｉｎｏｖ（商標）ＥＭＴ  １０（ＩＮＣＩ名：ヒドロキシエチルアクリレート／ナトリウムアクリロイルジメチルタウレートコポリマー）は、ＳＥＰＰＩＣ社によって販売されている増粘性ポリマーであり、
−  Ｓｃｕｌｐｔｏｓａｎｅ（ＩＮＣＩ名：水（および）ブチレングリコール（および）プランクトン抽出物（および）フェルラ酸アルギニン）は、ＳＥＰＰＩＣ社によって販売されている、皮膚の表皮上で高密度化する特性を有する水溶性プランクトン抽出物であり、
−  Ｅｕｘｙｌ（商標）Ｋ７０２（ＩＮＣＩ名：安息香酸、デヒドロ酢酸、フェノキシエタノール、ポリアミノプロピルビグアニドおよびエチルヘキシルグリセリン）は、ＳＥＰＰＩＣ社によって販売されている、保存料として使用される混合物である。
【国際調査報告】
2019524942.tif 000019
2019524942.tif 000020
2019524942.tif 000021
2019524942.tif 000022